(57)【特許請求の範囲】
【請求項１】
ファンと、該ファンにより空気を内部に吸い込む吸込口が形成された枠体と、前記ファンと前記枠体の間に配設され、前記ファンを軸周りに回転駆動するモータとを有する空気調和機において、
前記吸込口は、前記モータを保持する前記枠体の保持部底面から延びて、前記ファンに向かって形成され、前記吸込口の周縁部の軸方向位置が、前記モータ内に位置し、
前記吸込口は、前記保持部から前記軸に直交する方向に延び、前記モータの吸込口側表面と対向する第１面と、該第１面から所定の角度をなして前記ファンに向かって延びる第２面とに形成され、
前記モータの吸込口側表面の軸方向位置が、前記第１面と前記周縁部との間に位置することを特徴とする空気調和機。
【請求項２】
前記モータを前記枠体に取り付ける取付金具の複数の脚部が、前記モータの中心から前記モータに沿って延び、前記枠体に固定されることを特徴とする請求項１に記載の空気調和機。
【請求項３】
前記脚部と前記モータの側面との間に、隙間が設けられたことを特徴とする請求項２に記載の空気調和機。
【請求項４】
前記枠体に固定される前記取付金具の固定部は、前記枠体の保持部と前記吸込口の周縁部との間で前記枠体に固定されることを特徴とする請求項２または３のいずれかに記載の空気調和機。
【発明の詳細な説明】
【技術分野】
【０００１】
本発明は、空気清浄機、除湿機及び加湿器等の空気調和機に関するものである。
【背景技術】
【０００２】
空気調和機の１つである空気清浄機は、室内の空気を吸引して清浄した後、その清浄空気を再び室内に循環供給するものである。また、除湿機は、室内の空気を吸引して内部で吸引した空気に含まれる水分を取り除き、除湿した乾燥空気を再び室内に循環供給するものである。また、加湿器は、給水された水を外部に放散して室内の空気を加湿するものである。
【０００３】
例えば、特許文献１及び２には、ファンにより室内の空気を吸込口から吸引して、室内に放出する空気清浄機が記載されている。
【０００４】
しかし、図８に示すように、いずれの特許文献に記載の空気清浄機５１でも、小型化するためにファン５２を小さくすると、ファン５２と略鉛直方向に形成された吸込口５３との間に配設されたモータ５４の大きさにより、ファン５２とモータ５４との間の距離をＳ１１しか確保できず、十分な風量が得られないという問題があった。
【０００５】
【特許文献１】特開２００６−１７４２５号公報
【特許文献２】特開２００７−３３３３５９号公報
【発明の開示】
【発明が解決しようとする課題】
【０００６】
本発明は、前記従来の問題点に鑑みてなされたもので、小型化するためにファンを小さくしても、十分な風量を得ることができる空気調和機を提供することを課題とする。
【課題を解決するための手段】
【０００７】
前記課題を解決するための手段として、本発明に係る空気調和機は、
ファンと、該ファンにより空気を内部に吸い込む吸込口が形成された枠体と、前記ファンと前記枠体の間に配設され、前記ファンを軸周りに回転駆動するモータとを有する空気調和機において、
前記吸込口は、前記モータを保持する前記枠体の保持部底面から延びて、前記ファンに向かって形成され、前記吸込口の周縁部の軸方向位置が、前記モータ内に位置し、
前記吸込口は、前記保持部から前記軸に直交する方向に延び、前記モータの吸込口側表面と対向する第１面と、該第１面から所定の角度をなして前記ファンに向かって延びる第２面とに形成され、
前記モータの吸込口側表面の軸方向位置が、前記第１面と前記周縁部との間に位置するものである。
【０００８】
吸込口が保持部底面から延びる外周面に形成され、外周面の周縁部の中心がモータ内に位置する。即ち、吸込口は枠体の保持部からモータを覆うように、ファンに向かって延びている。これにより、空気調和機を小型化するためにファンを小さくし、ファンとモータとの間の距離を小さくしても、吸込口を保持部から略鉛直に形成した場合と比べて、内部に空気を取り入れるための吸気面積を大きくすることができので、十分な風量を得ることができる。
【００１０】
軸に直交する方向に延びる第１面と、第１面から所定の角度をなす第２面に、鉛直方向に等間隔にリブが配設されたことで、第２面に配設された上側のリブの前端と下側のリブの後端との間の距離は、それらの鉛直方向距離よりも長くなる。従って、第２面の吸込口に流入する空気の吸気面積を大きくすることができる。
【００１２】
第１面と対向するモータの表面が第１面と周縁部との間に位置するため、第１面とモータの表面との間に空間が生まれて、第１面から空気を吸い込むことができる。
【００１３】
前記モータを前記枠体に取り付ける取付金具の複数の脚部が、前記モータの中心から前記モータに沿って延び、前記枠体に固定されることが好ましい。
【００１４】
取付金具の複数の脚部がモータの中心からモータに沿って延び、枠体に固定されるため、脚部がファンと当接するのを防止することができる。
【００１５】
前記脚部と前記モータの側面との間に、隙間が設けられたことが好ましい。
【００１６】
脚部とモータの側面との間に隙間が設けられたため、モータの振動が枠体と取付金具との固定部に伝達するのを防止することができる。
【００１７】
前記枠体に固定される前記取付金具の固定部は、前記枠体の保持部と前記吸込口の周縁部との間で前記枠体に固定されることが好ましい。
【００１８】
取付金具の固定部が、枠体の保持部と吸込口の周縁部との間で枠体に固定されるため、固定部がファンと当接するのを防止することができる。
【発明の効果】
【００１９】
本発明に係る空気調和機によれば、吸込口が保持部底面から延びる外周面に形成され、外周面の周縁部の中心がモータ内に位置する。即ち、吸込口は枠体の保持部からモータを覆うように、ファンに向かって延びている。これにより、空気調和機を小型化するためにファンを小さくしても、内部に空気を取り入れるための吸気面積を大きくすることができので、十分な風量を得ることができる。
【発明を実施するための最良の形態】
【００２０】
次に、添付図面を参照して本発明の実施形態に係る空気調和機を詳細に説明する。
【００２１】
図１から図４は、本発明の実施形態に係る空気調和機である空気清浄機１１を示す。この空気清浄機１１は機械集塵式であり、ファン１２を動作させることにより室内に浮遊する粉塵やガスを含んだ空気を、本体であるケーシング１３内に吸引し、集塵フィルタ１４及び脱臭フィルタ１６を通して吸引した空気を清浄（調和）した後、その清浄した空気をケーシング１３の外部に循環供給するものである。
【００２２】
前記ケーシング１３は、前後部を開口したベース１７と、該ベース１７の前側開口を遮蔽する前カバー１８と、前記ベース１７の後側開口を閉鎖する後カバー１９とからなる。
【００２３】
前記ベース１７は、図５に示すように、前後を仕切る枠体２１を備えている。この枠体２１には、前カバー１８を介して空気を吸い込む吸込口２２と、吸込口２２の中心に配設され、モータ２３を保持する保持部２４とが一体成形されている。
【００２４】
吸込口２２は、図６に示すように、水平方向に延びるリブ２６からなる多数の通気口２７から形成されている。また、吸込口２２は保持部２４の底面から鉛直方向に広がる第１面２８と、該第１面２８から所定の角度θでファン１２に向かって延びる外周面として第２面２９とに形成されている。所定の角度とは例えば４５°から６０°である。ただし、第１面２８からファン１２に向かって延び、かつモータ２３と当接しない限り、前記角度は特に限定されない。
【００２５】
水平方向に配設されたリブ２６は、具体的には図６に示すように、第１面２８と第２面２９とに鉛直方向距離Ｓ２を隔てて等間隔に配置されている。
【００２６】
そして、第２面２９には、内方に向かって突出する突出部３１が設けられている。更に、第２面２９の縁には周縁部３２が形成されている。
【００２７】
吸込口２２の後側に配設されたモータ２３は、取付金具３３を介して枠体２１に固定されている。このとき、モータ２３の表面４７は第１面２８と、周縁部３２との間に位置している。
【００２８】
取付金具３３は、モータ２３の背面を固定する基部３４と、基部３４からモータ２３の形状に沿って延び、モータ２３の側面との間に隙間Ｓ１を設ける３本の脚部３６と、脚部３６から鉛直に外方に延び、枠体２１の突出部３１にねじ３７を介して固定される固定部３８とからなる。
【００２９】
また、図７に示すように、枠体２１にはファン１２を囲繞する略渦形状の隔板３９が一体に設けられている。この枠体２１には、前記枠体２１によって区画された前側に集塵フィルタ１４と脱臭フィルタ１６とが配設され、後側の隔板３９内に、モータ２３に駆動されて軸４１周りに回転するファン１２が配設されている。このファン１２は、モータ２３を取り付けた中央である軸４１方向に沿って空気を吸引し、径方向外向きに放出（供給）するシロッコファンからなる。
【００３０】
前記前カバー１８は、水平方向に延びる矩形状からなる複数の開口部４３を備え、ベース１７の前側開口を覆うように取り付けられている。
【００３１】
後カバー１９は、ベース１７に取り付けることによって、その内面と前記隔板３９とを当接させてこれらの間をシールするものである。この後カバー１９には、後方に膨出する膨出部４４が設けられ、この膨出部４４の上面に前記ベース１７の隔板３９内と連通する吹出口４６が設けられている。即ち、前記ベース１７において前カバー１８の開口部４３、集塵フィルタ１４、脱臭フィルタ１６を順に通過した空気を、吸込口２２及び隔板３９を介して吹出口４６から放出する空気流路を構成する。
【００３２】
次に、前記構成からなる空気清浄機１１の動作を説明する。
【００３３】
空気清浄機１１では、まず、モータ２３が駆動して、ファン１２が回転することによってケーシング１３内に吸い込まれた室内の空気は、集塵フィルタ１４と脱臭フィルタ１６とを通過する際に、塵埃や臭気が分離除去される。そして、集塵フィルタ１４と脱臭フィルタ１６とを通過した清浄空気は、吸込口２２を介してファン１２により吹出口４６から室内に循環供給される。
【００３４】
本発明に係る空気清浄機１１によれば、吸込口２２が第１面２８と第２面２９とに形成され、第２面２９の周縁部３２の中心がモータ２３内に位置する。即ち、吸込口２２は枠体２１の保持部２４からモータ２３を覆うように、ファン１２に向かって延びている。これにより、空気清浄機１１を小型化するためにファン１２を小さくし、ファン１２とモータ２３との間の距離Ｓ４を小さくしても、吸込口２２を保持部２４から略鉛直に形成した場合と比べて、内部に空気を取り入れるための吸気面積を大きくすることができるので、十分な風量を得ることができる。
【００３５】
具体的には、第２面２９に配設された図６における上側のリブ２６の前端と下側のリブ２６の後端との間の距離Ｓ３は、距離Ｓ２と水平方向距離とで構成する直角三角形の斜辺になるため、Ｓ２よりも長くなる。従って、第２面２９の吸込口２２に流入する空気の吸気面積を大きくすることができる。
【００３６】
また、第１面２８と対向するモータ２３の表面４７が第１面２８と周縁部３２との間に位置するため、第１面２８とモータ２３の表面４７との間に空間が生まれて、第１面２８から空気を吸い込むことができる。
【００３７】
取付金具３３の複数の脚部３６がモータ２３の中心からモータ２３に沿って延び、枠体２１に固定されているため、脚部３６がファン１２と当接するのを防止することができる。
【００３８】
脚部３６とモータ２３の側面との間に、隙間Ｓ１を設けたため、モータ２３の振動が取付金具３３の固定部３８に伝達するのを防止することができる。
【００３９】
取付金具３３の固定部３８が、枠体２１の保持部２４と吸込口２２の周縁部３２との間の突出部３１に固定されているため、固定部３８がファン１２と当接するのを防止することができる。
【００４０】
なお、本発明の空気清浄機１１は前記実施形態に限定されず、種々の変形が可能である。
【００４１】
枠体２１の吸込口２２に関しては、保持部２４の底面からファン１２に向かって延び、空気を吸い込む限り、吸込口２２の形状は特に限定されず、例えばドーム形状の湾曲面から形成されてもよい。
【００４２】
取付金具３３に関しては、モータ２３に沿って延びてモータ２３を枠体２１に固定し、ファン１２と当接しない限り、取付金具３３の形状は特に限定されない。
【００４３】
また、前記実施形態では、空気調和機の１つである空気清浄機１１を用いて説明したが、除湿機や加湿器等の他の空気調和機でも同様に適用しても、同様の作用及び効果を得ることができる。
【図面の簡単な説明】
【００４４】
【図１】本発明の実施形態に係る空気清浄機を前から見た斜視図。
【図２】図１の空気清浄機を後から見た斜視図。
【図３】図１の空気清浄機の背面図。
【図４】図３のＡーＡ線断面図。
【図５】図１の空気清浄機から前カバーを外した状態で前から見た正面図。
【図６】図４の部分拡大断面図。
【図７】図１の空気清浄機から後カバーを外した状態で後から見た背面図。
【図８】従来の空気清浄機の部分拡大断面図。
【符号の説明】
【００４５】
１１  空気清浄機（空気調和機）
１２  ファン
２１  枠体
２２  吸込口
２３  モータ
２４  保持部
２６  リブ
２８  第１面
２９  第２面（外周面）
３２  周縁部
３３  取付金具
３６  脚部
【図１】
0004971246.tif 000002
【図２】
0004971246.tif 000003
【図３】
0004971246.tif 000004
【図４】
0004971246.tif 000005
【図５】
0004971246.tif 000006
【図６】
0004971246.tif 000007
【図７】
0004971246.tif 000008
【図８】
0004971246.tif 000009